(57)【要約】【課題】内部の防水性能の低下を抑制できる電子機器用筐体を提供できる電子機器用筐体を提供する。【解決手段】筐体２の内部は、隔壁２１４によって、自然空冷収容部２４と強制空冷収容部２６とに分割されている。自然空冷収容部２４には、強制空冷を必要とせず自然空冷で放熱性能を満足する機器が収容される。強制空冷収容部２６には、冷却ファンユニット１００および強制空冷を必要とする機器が収容される。また、底面板２０８の強制空冷収容部２６に対応する位置には通気口２６４が設けられており、冷却ファンユニット１００は、この通気口２６４を介して外気を吸い込み、吸い込んだ外気を上側に吐き出して、電源ユニット１１２および送信増幅ユニット１１４を冷却する。さらに、上面板２０２の強制空冷収容部２６に対応する位置には通気口２６８が設けられており、電源ユニット１１２および送信増幅ユニット１１４を冷却して温度が上昇した空気は、この通気口２６８を介して筐体２の外部へ排出される。【選択図】図１
2009277966.tif 000002
【特許請求の範囲】
【請求項１】
強制空冷を必要とする第１の電子機器を収容するための第１の収容部と、
前記第１の電子機器以外の第２の電子機器を収容するための第２の収容部と、
前記第１の収容部と前記第２の収容部との間に設けられた隔壁と
を有し、
前記第１の収容部の壁面のうち、前記隔壁以外の少なくとも１つの壁面には、通気口が設けられている
電子機器用筐体。
【発明の詳細な説明】
【技術分野】
【０００１】
本発明は、電子機器を収容するための電子機器用筐体に関する。
【背景技術】
【０００２】
例えば、特許文献１は、自然空冷ユニットと強制空冷ユニットとが１つの収容室に混在している電子機器の冷却装置を開示する。
【特許文献１】特開２０００−２９４９６５号公報
【発明の開示】
【発明が解決しようとする課題】
【０００３】
上記した従来技術にあっては、筐体内部全体が強制空冷するのに必要な通気口と連通しており、筐体内部全体の防水性能が低下する。
発明は、上述した背景からなされたものであって、内部の防水性能の低下を抑制できる電子機器用筐体を提供することを目的とする。
【課題を解決するための手段】
【０００４】
本発明に係る電子機器用筐体は、強制空冷を必要とする第１の電子機器を収容するための第１の収容部と、前記第１の電子機器以外の第２の電子機器を収容するための第２の収容部と、前記第１の収容部と前記第２の収容部との間に設けられた隔壁とを有し、前記第１の収容部の壁面のうち、前記隔壁以外の少なくとも１つの壁面には、通気口が設けられている。
【発明の効果】
【０００５】
本発明に係る電子機器用筐体によれば、内部の防水性能の低下を抑制できる電子機器用筐体を提供できる。
【発明を実施するための最良の形態】
【０００６】
以下、本発明の実施形態を説明する。
図１は、本発明の実施形態にかかる電子機器装置１の構成を示す図である。
電子機器装置１は、屋外に設置される。
図１に示すように、電子機器装置１は、冷却ファンユニット１００、電源ユニット１１２、送信増幅ユニット１１４−１，１１４−２、受信増幅ユニット１２２−１，１２２−２，１２２−３、監視制御ユニット１２４、および筐体２から構成されている。
また、以下、送信増幅ユニット１１４−１，１１４−２など、複数ある構成部分のいずれかを特定せずに示すときには、単に、送信増幅ユニット１１４などと略記することがある。
【０００７】
電源ユニット１１２および送信増幅ユニット１１４は、強制空冷を必要とする機器であり、冷却ファンユニット１００によって強制空冷される。
また、冷却ファンユニット１００、電源ユニット１１２および送信増幅ユニット１１４は、それぞれのユニット単体で防水性能を有する。
受信増幅ユニット１２２および監視制御ユニット１２４は、強制空冷を必要とせず、自然空冷で放熱性能を満足する機器である。
また、受信増幅ユニット１２２および監視制御ユニット１２４は、電源ユニット１１２および送信増幅ユニット１１４と異なり、ユニット単体では防水性能を有しておらず、したがって、防水性能を確保するためには筐体２によって防水性能が確保される必要がある。
【０００８】
筐体２は、上面板２０２、側面板２０４，２０６、底面板２０８、裏面板２１０、天井板２１２、隔壁２１４および筐体扉２２から構成される。
上面板２０２は筐体２の上部に配置され、底面板２０８は筐体の下部に配置され、上面板２０２および底面板２０８は互いに対向するように設けられている。
側面板２０４，２０６は、筐体の左右の側面に配置され、側面板２０４，２０６は互いに対向するように設けられている。
隔壁２１４は、側面板２０４，２０６の間に、側面板２０４，２０６それぞれと対向するように設けられている。
裏面板２１０は、筐体２の奥の位置に配置され、筐体扉２２が閉じられた状態の場合にこの筐体扉２２と対向するように設けられている。
【０００９】
筐体扉２２は、蝶番２２０−１，２２０−２を介して側面板２０６に設置されており、この蝶番２２０により、筐体扉２２は筐体２に対して開閉自在であるように構成されている。
筐体扉２２の蝶番２２０と反対側の位置には、留め具２２４−１，２２４−２が設けられている。
また、側面板２０４の留め具２２４−１，２２４−２に対応する位置には、係合部２２６−１，２２６−２が設けられており、筐体扉２２を閉じた場合に、留め具２２４−１，２２４−２と係合部２２６−１，２２６−２とが係合することによって、筐体扉２２は閉じた状態で固定される。
【００１０】
また、筐体扉２２の内部側にはパッキン２２８が設けられており、筐体扉２２が閉じた状態の場合に、上面板２０２、側面板２０４，２０６、底面板２０８および隔壁２１４の縁とパッキン２２８とが圧接することによって、筐体扉２２と、上面板２０２、側面板２０４，２０６、底面板２０８および隔壁２１４との隙間から雨等の水滴が浸入することを防止できる。
なお、このパッキン２２８は、上面板２０２、側面板２０４，２０６、底面板２０８および隔壁２１４の縁に設けられるようにしてもよいし、後述する自然空冷収容部２４に対応する部位にのみ設けられるようにしてもよい。
また、筐体扉２２を開くことによって、筐体２に収容された各機器の保守および交換を容易に行うことができる。
【００１１】
筐体２の内部は、隔壁２１４によって、自然空冷収容部２４と強制空冷収容部２６とに分割されている。
自然空冷収容部２４には、強制空冷を必要とせず自然空冷で放熱性能を満足する機器である受信増幅ユニット１２２および監視制御ユニット１２４が収容される。
また、自然空冷収容部２４には、棚２４２が設置されており、この棚２４２の上部に受信増幅ユニット１２２および監視制御ユニット１２４が配置される。
【００１２】
強制空冷収容部２６には、冷却ファンユニット１００と、強制空冷を必要とする機器である電源ユニット１１２および送信増幅ユニット１１４とが収容される。
また、強制空冷収容部２６には、棚２６２が設置されており、この棚２６２の上部に電源ユニット１１２および送信増幅ユニット１１４が配置され、棚２６２の下部に冷却ファンユニット１００が配置される。
【００１３】
また、底面板２０８の強制空冷収容部２６に対応する位置には通気口２６４が設けられており、冷却ファンユニット１００は、この通気口２６４を介して外気を吸い込み、吸い込んだ外気を上側に吐き出して、電源ユニット１１２および送信増幅ユニット１１４を冷却する。
さらに、上面板２０２の強制空冷収容部２６に対応する位置には通気口２６８が設けられており、電源ユニット１１２および送信増幅ユニット１１４を冷却して温度が上昇した空気は、この通気口２６８を介して筐体２の外部へ排出される。
【００１４】
天井板２１２は上面板２０２の上部に設置され、この天井板２１２によって、雨等の水滴が通気口２６８を介して筐体２の内部に浸入することが抑制される。
【００１５】
図２は、電子機器装置１の筐体扉２２が閉じた状態を示す図である。
上述したように、外気は、冷却ファンユニット１００によって、底面板２０８に設けられた通気口２６４を介して、矢印Ａで示すように、筐体２の強制空冷収容部２６に吸い込まれる。
吸い込まれた外気は、強制空冷収容部２６に収容された機器を冷却し、上面板２０２に設けられた通気口２６８を介して強制空冷収容部２６の外部に吐き出され、さらに、上面板２０２と天井板２１２との隙間を通過して、矢印Ｂ，Ｃ，Ｄで示すように筐体２の外部に吐き出される。
【００１６】
ここで、上面板２０２および底面板２０８にはそれぞれ通気口２６８，２６４が設けられているので、これら通気口２６８，２６４を介して、雨等の水滴が筐体２の内部に浸入する可能性がある。
一方、通気口２６８，２６４は、図１に示すように、強制空冷収容部２６にのみ設けられており、さらに、隔壁２１４によって、強制空冷収容部２６から自然空冷収容部２４への水滴の浸入が遮断されている。
したがって、強制空冷収容部２６に浸入した水滴は、自然空冷収容部２４に浸入することはないので、自然空冷収容部２４は防水性能を確保することができる。
また、上述したように、強制空冷収容部２６内の機器は、各ユニット単体で防水性能を確保しているので、強制空冷収容部２６内が防水性能を確保されていなくても、強制空冷収容部２６内の機器の防水性能は確保されている。
よって、本実施形態にかかる電子機器装置１については、全体として防水性能が確保されている。
【００１７】
さらに、自然空冷収容部２４には通気口が設けられていないが、自然空冷収容部２４内の機器は強制空冷を必要とせず、自然空冷のみでよいので、自然空冷収容部２４の放熱性能は確保されている。
また、強制空冷収容部２６には冷却ファンユニット１００が設けられ、通気口２６４，２６８を介して通気されるので、強制空冷収容部２６の放熱性能も確保されている。
よって、本実施形態にかかる電子機器装置１については、全体として放熱性能が確保されている。
【００１８】
なお、本実施形態の例においては、強制空冷収容部２６には電源ユニット１１２および送信増幅ユニット１１４が収容されるとしたが、強制空冷収容部２６に収容される機器は、強制空冷を必要とし、ユニット単体で防水性能を有する機器であれば、どのような機器であってもよい。
また、本実施形態の例においては、自然空冷収容部２４には受信増幅ユニット１２２および監視制御ユニット１２４が収容されるとしたが、自然空冷収容部２４に収容される機器は、強制空冷を必要とせず、ユニット単体で防水性能を有しない機器であれば、どのような機器であってもよい。
【図面の簡単な説明】
【００１９】
【図１】本発明の実施形態にかかる電子機器装置の構成を示す図である。
【図２】電子機器装置の筐体扉が閉じた状態を示す図である。
【符号の説明】
【００２０】
１・・・電子機器装置，
１００・・・冷却ファンユニット，
１１２・・・電源ユニット，
１１４−１，１１４−２・・・送信増幅ユニット，
１２２−１，１２２−２，１２２−３・・・受信増幅ユニット，
１２４・・・監視制御ユニット，
２・・・筐体，
２０２・・・上面板，
２０４，２０６・・・側面板，
２０８・・・底面板，
２１０・・・裏面板，
２１２・・・天井板，
２１４・・・隔壁，
２２・・・筐体扉，
２２０−１，２２０−２・・・蝶番，
２２４−１，２２４−２・・・留め具，
２２６−１，２２６−２・・・係合部，
２２８・・・パッキン，
２４・・・自然空冷収容部，
２６・・・強制空冷収容部，
２６４・・・通気口，
２６８・・・通気口，
【図１】
2009277966.tif 000003
【図２】
2009277966.tif 000004